(57)【特許請求の範囲】
【請求項１】
いずれか一方を駆動させると他方が従動するよう上下に対向して配置してある押圧ローラと受ローラとよりなる洗浄ローラ対間に被洗浄シートを送り込んでこの洗浄ローラ対間を通過する間にローラに付着させた洗浄液により被洗浄シートの汚れを除去するようにした被洗浄シートの洗浄方法において、洗浄ローラ対への洗浄液付着を洗浄液塗布ローラにより行なうとともに、駆動側のローラの回転方向を被洗浄シートの送り出し方向と同方向として、従動側のローラの回転を洗浄ローラ対間に被洗浄シートが送り込まれたときに生じるトルク変動に基づき強制的に止め、駆動側のローラにより送り出される被洗浄シートの汚れを回転が止められた従動側のローラにより拭洗することを特徴とする被洗浄シートの洗浄方法。
【請求項２】
いずれか一方を駆動させると他方が従動するよう上下に対向して配置してある押圧ローラと受ローラとよりなる洗浄ローラ対と、この洗浄ローラ対の押圧ローラと受ローラとの間に送出部から送られる被洗浄シートを送り込むシート送り込み手段と、前記した押圧ローラと受ローラのいずれか一方または双方のローラ面に洗浄液を付着させる洗浄液塗布ローラと、前記した押圧ローラと受ローラのうち駆動側のローラの回転方向を被洗浄シートの送り出し方向と同方向として、洗浄ローラ対間に被洗浄シートが送り込まれたときに生じるトルク変動を検知してこれに基づき従動側のローラの回転を強制的に止めるローラ停止手段とを具備することを特徴とする被洗浄シートの洗浄装置。
【請求項３】
洗浄ローラ対として、従動側のローラを上側としたものと、従動側のローラを下側としたものものとの２種が一連のローラ群中に組み込まれていて、これら２種の洗浄ローラ対を通過する間に両洗浄ローラ対の従動側のローラにより被洗浄シートの表裏両面の汚れを除去できるようにしてあることを特徴とする請求項２に記載の被洗浄シートの洗浄装置。
【請求項４】
ローラ停止手段が、被洗浄シートの厚みに基づくトルク変動により作動されるトルクリミッタであることを特徴とする請求項２または３に記載の被洗浄シートの洗浄装置。  
【発明の詳細な説明】
【技術分野】
【０００１】
本発明は自動車生産工場等における部品の管理に用いるカンバンの代替となる書き消し自在の可逆性感熱紙のような薄肉の被洗浄シートの洗浄を行うのに適した被洗浄シートの洗浄方法および洗浄装置に関するものである。
【背景技術】
【０００２】
自動車生産工場等において部品の管理に用いるカンバンは、バーコードを印刷したシールが貼付されているが、時間とともにオイル等により汚損されて貼付されたバーコードがバーコードリーダにより読み込みができなくなり、このためカンバンは時々洗浄する必要があった。このようなカンバン類の洗浄はカンバン搬入側と搬出側に洗浄ローラの送り速度より遅い一対の送りローラを設けて行っている（例えば、特許文献１参照）。
【０００３】
しかし、送りローラの回転数を遅くすることにより洗浄を行う場合、強度のあるカンバンであれば何ら支障は生じないが、可逆性感熱紙のように薄肉の被洗浄シートに適用すれば送りローラと洗浄ローラの送り速度の違いにより被洗浄シートに皺寄りを発生させたり、切損や摩耗を生じさるため長期間耐用できなくなるという問題がある。
【特許文献１】実願昭６３−３９４８４号公報
【発明の開示】
【発明が解決しようとする課題】
【０００４】
本発明は、可逆性感熱紙のように薄肉の被洗浄シートを洗浄する場合であっても、被洗浄シートが皺寄ったり摩耗することなく的確に洗浄することができる被洗浄シートの洗浄方法および洗浄装置を提供することを目的とするものである。
【課題を解決するための手段】
【０００５】
前記のような課題を解決した本発明は、いずれか一方を駆動させると他方が従動するよう上下に対向して配置してある押圧ローラと受ローラとよりなる洗浄ローラ対間に被洗浄シートを送り込んでこの洗浄ローラ対間を通過する間にローラに付着させた洗浄液により被洗浄シートの汚れを除去するようにした被洗浄シートの洗浄方法において、洗浄ローラ対への洗浄液付着を洗浄液塗布ローラにより行なうとともに、駆動側のローラの回転方向を被洗浄シートの送り出し方向と同方向として、従動側のローラの回転を洗浄ローラ対間に被洗浄シートが送り込まれたときに生じるトルク変動に基づき強制的に止め、駆動側のローラにより送り出される被洗浄シートの汚れを回転が止められた従動側のローラにより拭洗することを特徴とする被洗浄シートの洗浄方法と、いずれか一方を駆動させると他方が従動するよう上下に対向して配置してある押圧ローラと受ローラとよりなる洗浄ローラ対と、この洗浄ローラ対の押圧ローラと受ローラとの間に送出部から送られる被洗浄シートを送り込むシート送り込み手段と、前記した押圧ローラと受ローラのいずれか一方または双方のローラ面に洗浄液を付着させる洗浄液塗布ローラと、前記した押圧ローラと受ローラのうち駆動側のローラの回転方向を被洗浄シートの送り出し方向と同方向として、洗浄ローラ対間に被洗浄シートが送り込まれたときに生じるトルク変動を検知してこれに基づき従動側のローラの回転を強制的に止めるローラ停止手段とを具備することを特徴とする被洗浄シートの洗浄装置とを基本とする。なお、前記した被洗浄シートの洗浄装置における洗浄ローラ対として、従動側のローラを上側としたものと、従動側のローラを下側としたものものとの２種が一連のローラ群中に組み込んで、これら２種の洗浄ローラ対を通過する間に両洗浄ローラ対の従動側のローラにより被洗浄シートの表裏両面の汚れを除去できるようにしたり、ローラ停止手段として、被洗浄シートの厚みに基づくトルク変動により作動されるトルクリミッタとすることは設計上好ましい。
【発明の効果】
【０００６】
本発明は、洗浄液が塗布された押圧ローラと受ローラとよりなる洗浄ローラ対間に可逆性感熱紙などの被洗浄シートが送り込まれることにより押圧ローラと受ローラのうち駆動側のローラの回転は継続されるが、従動側のローラの回転は停止手段により停止され、駆動側のローラの回転によって搬送される被洗浄シートを回転が停止された従動側のローラによって拭き取り洗浄することにより、過度な力を加えることなく拭き取り洗浄が行われるので、被洗浄シートが薄肉であっても皺寄りや切損あるいは摩耗を抑えた洗浄ができ、長期間にわたり可逆性感熱紙などの被洗浄シートを再利用することができる。しかも、洗浄液が塗布される駆動側のローラにより被洗浄シートを搬送する際、駆動側のローラによっても被洗浄シートの裏面の洗浄も同時に行われることとなる。また、洗浄ローラ対が被洗浄シートの表面の洗浄を行うものと裏面の洗浄を行うものとからなるものとすることにより、被洗浄シートの裏面も確実に拭き取り洗浄でき、裏面の汚れも的確に洗浄できるものとなり、さらに、ローラ停止手段を可逆性感熱紙の厚みに基づくトルク変動により作動されるトルクリミッタとすることにより、電子制御機器を組み込むことなく可逆性感熱紙の進入を検知して従動側ローラを停止させることができるので、装置を安価に提供できるものとなるうえに電子制御機器の保守点検が不要となりランニングコストを低減することができるし、洗浄液による電子制御機器の電気的なトラブルの発生も抑制できるので長期耐用できるものとなる。
【発明を実施するための最良の形態】
【０００７】
次に、本発明の好ましい実施の形態を図に基づいて詳細に説明する。なお、以下の説明においては全て被洗浄シートの代表例である可逆性感熱紙の場合について説明している。  図１において１はケース本体である。このケース本体１には洗浄する可逆性感熱紙の送出部２に続いて洗浄液付着手段３が設けられている。４はケース本体１の背面に取り付けられる洗浄・乾燥済みの可逆性感熱紙を受ける排出トレイであり、５は洗浄液付着手段３を覆う開閉自在なメンテナンス用カバーである。
【０００８】
前記送出部２は、多数枚の可逆性感熱紙を上から一枚ずつ順次切り出して洗浄液付着手段３に送り出すもので、可逆性感熱紙の収納トレイ６と可逆性感熱紙を一枚ずつ切り出す切出しローラ７と、可逆性感熱紙の送り込み枚数を規制するゲート５０と、可逆性感熱紙に付着する金属紛類を吸着する吸着手段５５とからなる。また、前記収納トレイ６は基部が枢着されて先方部を揺動自在とするもので、トレイ揺動機構８により収納トレイ６の先方部が揺動されて収納されている可逆性感熱紙を切出しローラ７に接触させるようになっている。
【０００９】
また、前記ゲート５０は上部にばねとねじにより構成されるアジャスタ部５１を設けており、該アジャスタ部５１により可逆性感熱紙の厚みに応じてゲート間隙を微調整し、可逆性感熱紙を確実に捌いて可逆性感熱紙が洗浄液付着手段３に複数枚供給されることがないようにしている。
【００１０】
さらに、前記吸着手段５５はゲート間の上下に配置される磁石により可逆性感熱紙の表裏に付着する金属紛類を吸着除去し、洗浄液付着手段３などのローラ群に金属紛が付着してローラ群や可逆性感熱紙を傷付けることがないようにしている。
【００１１】
また、洗浄液付着手段３は可逆性感熱紙の表面と裏面の洗浄と拭き取り処理を行うもので、可逆性感熱紙の表面と裏面を洗浄する洗浄ローラ機構１０と、この洗浄ローラ機構１０に洗浄液を塗布する洗浄液塗布機構３５と、洗浄後、可逆性感熱紙の表裏に付着する洗浄液を拭い取る拭取りローラ機構４０とからなる。
【００１２】
以下、前記トレイ揺動機構８を詳細に説明する。
９はトレイ揺動機構８の駆動モータであり、この駆動モータ９には駆動歯車９ａが取り付けられている。９ｂは駆動歯車９ａと噛合する歯車であり、歯車９ｂには収納トレイ６の底面に当接される偏心カム９ｃが設けられている。
【００１３】
前記トレイ揺動機構８の動作は、偏心カム９ｃの回転に従って、基部をケース本体１に枢着された収納トレイ６の先方部は揺動運動を繰り返す。この揺動運動により収納トレイ６内に収納されている可逆性感熱紙の上面は回転されている切出しローラ７に接触して１枚づつ間歇的に切り出されることとなる。
【００１４】
以下、前記洗浄ローラ機構１０を詳細に説明する。
１１は切出しローラ７により切り出されて送り込まれた可逆性感熱紙を、洗浄ローラ対１２、１３間に送り込む上下の駆動ローラ対よりなるシート送り込み手段であり、該シート送り込み手段１１の駆動ローラ対は押圧ローラと受ローラとからなる。また、洗浄ローラ対１２は可逆性感熱紙の裏面を洗浄するものであり、上側の駆動側のローラ１２ｂと下側の停止自在な従動側のローラ１２ａとよりなり、従動側のローラ１２ａを受ローラとし、駆動側のローラ１２ｂを押圧ローラとしている。また、洗浄ローラ対１３は可逆性感熱紙の表面を洗浄するもので、停止自在な上側の従動側のローラ１３ａと下側の駆動側のローラ１３ｂとよりなり、従動側のローラ１３ａを押圧ローラとし、駆動側のローラ１３ｂを受ローラとしており、これらの洗浄ローラ対１３を並設させたものとしている。なお、洗浄ローラ対１２は汚れの少ない裏側を洗浄するもため一つとしているが、汚れが激しい場合には複数並設するものとしても良いことは勿論である。また、洗浄ローラ対１３は汚れの多い表面を洗浄するため並設したものとしているが、汚れが少ない場合には一つでもよく、汚れが激しい場合には、複数並設するものとしても良いことは勿論である。
【００１５】
１５は洗浄ローラ機構１０を駆動する歯車伝達機構であり、１６はシート送り込み手段１１である駆動ローラ対、洗浄ローラ対１２、１３の各押圧ローラを対向する各受ローラに所定圧で圧接させるばね等よりなる押圧手段である。該押圧手段１６はローラ取付部材１７の突子１７ａに上部を係止させたばねによってローラ取付部材１７の長孔１７ｂにスライド自在に支持される各押圧ローラの軸を付勢して対をなす各受ローラに対して所定の押圧力で圧接させるものである。１８は従動側のローラ１２ａ、１３ａを強制的に停止させるローラ停止手段であり、このローラ停止手段１８はトルクリミッタよりなるものとしているが、可逆性感熱紙の検出機構と電磁クラッチを組み合わせた機構を用いても良いことは勿論であり、要は、可逆性感熱紙が介入されることにより従動側のローラ１２ａ、１３ａの回転が停止されるものであればよい。
【００１６】
前記洗浄ローラ機構１０の動作は、可逆性感熱紙が洗浄ローラ対１２、１３間に進入すると可逆性感熱紙の厚みによりトルクが変動し、ローラ停止手段１８としてのトルクリミッタが作動して洗浄ローラ対１２、１３の下側・従動側のローラ１２ａと上側・従動側のローラ１３ａの回転を停止させる。ローラ停止手段１８により従動側のローラ１２ａ、１３ａは停止されるが、上側・駆動側のローラ１２ｂと下側・駆動側のローラ１３ｂは回転を継続するので可逆性感熱紙は搬送されてその表面と裏面を洗浄液が塗布された従動側のローラ１２ａ、１３ａにより汚れが拭い取られる。また、後記する洗浄液塗布機構３５により洗浄液が直接塗布される下側・従動側のローラ１２ｂと下側・駆動側ローラ１３ｂを介して上側・駆動側のローラ１２ｂと上側・従動側ローラ１３ａに洗浄液が塗布されるので、駆動側のローラ１２ｂと従動側のローラ１３ａと回転接触する可逆性感熱紙の裏面も補助的な洗浄が行われることとなる。
【００１７】
以下、前記歯車伝達機構１５を詳細に説明する。
２０は駆動モータ９のスプロケット９ｄとチェーンで連繋されるスプロケットであり、このスプロケット２０には歯車２０ａが設けられている。２１は歯車２０ａと噛合して駆動される歯車機構であり、該歯車機構２１は前述の駆動ローラ１１軸にキー止めされて相互に噛合する上・下歯車２２と、洗浄ローラ対１２の従動側のローラ１２ａ軸に空転自在に取り付けられる歯車２３と、洗浄ローラ対１３の各駆動側のローラ１３ｂ軸と拭き取りローラ機構４０の駆動ローラ４１軸にキー止めされて取り付けられる各歯車２４と、前記下歯車２２と歯車２３および歯車２０ａと噛合される中間歯車２６と、歯車２３と歯車２４および各歯車２４に噛合される多数の中間歯車２７とからなるものである。また、２５は歯車機構２１に組み込まれる伝達ベルトであり、該伝達ベルト２５は歯車機構２１により駆動される上部側の駆動ローラ１１の回転をローラ１２ｂに伝達するもので、上部側の駆動ローラ１１軸と駆動側のローラ１２ｂ軸にはタイミングベルトを掛け止める歯が形成されている。
【００１８】
歯車伝達機構１５の動作は、図４に示されるように、駆動モータ９のスプロケット９ｄと連繋されるスプロケット２０の回転により歯車２０ａは回転し、該歯車２０ａと噛合する歯車機構２１も駆動される。そして、歯車機構２１の中間歯車２６は時計回り方向に回転して下歯車２２を反時計回り方向に回転させるとともに、歯車２３を反時計回り方向に回転させる。そして、歯車２３の反時計回り方向の回転に従って中間歯車２７は時計回り方向に回転し、該中間歯車２７の回転は順次、隣接する歯車２４、中間歯車２７に伝達されてゆき、駆動側の各ローラ１３ｂ及び各駆動ローラ４１を反時計回り方向に回転させる。このとき従動側のローラ１２ａ、従動側のローラ１３ａは駆動側のローラ１２ｂ、１３ｂの回転により時計回り方向に回転され、洗浄と洗浄液の塗布が行われるが、可逆性感熱紙が介入されるとローラ停止手段１８としてのトルクリミッタにより従動側のローラ１２ａ、１３ａは回転が停止される拭き取り洗浄を行う状態となる。
【００１９】
以下、洗浄液付着手段３の洗浄液塗布機構３５を詳細に説明する。
３６は洗浄液を貯留させた洗浄槽であり、３７は洗浄槽３６に浸漬される洗浄液塗布ローラである。洗浄液塗布ローラ３７は、従動側のローラ１２ａおよび駆動側の各ローラ１３ｂと当接して従動側のローラ１２ａおよび駆動側のローラ１３ｂの洗浄および洗浄液の塗布を行うものである。そして、洗浄と洗浄液の塗布が行われた従動側のローラ１２ａおよび駆動側のローラ１３ｂは駆動側のローラ１２ｂおよび従動側のローラ１３ａと当接して駆動側のローラ１２ｂおよび従動側のローラ１３ａ群の洗浄と洗浄液の塗布を行うものである。また、３８は洗浄槽３６の保持ロックおよびロック解除を行うハンドル付きのカムであり、このカム３８をハンドル操作により回動させてロックを解くことにより洗浄槽３７は取り外されて洗浄液の補充を行うことができる。
【００２０】
また、拭き取りローラ機構４０は洗浄ローラ機構１０に続いて設けられて洗浄されて湿潤状態にある可逆性感熱紙から洗浄液を拭い取るものであり、液吸着機能を備えた上下一対の駆動ローラ４１と従動ローラ４２とを並設させたもので、可逆性感熱紙の進入により従動ローラ４２の回転を停止させるトルクリミッタよりなるローラ停止手段１８を従動ローラ４２に組み込んだものである。回転が停止される従動ローラ４２は洗浄液の付着が多い可逆性感熱紙の上側に両方とも配設したものとしているが、一方を下側に配設するものとしても良いことは勿論である。また、拭き取りローラ機構４０においてはトルクリミッタよりなるローラ停止手段１８を装着しなくても拭き取りは可能であるため、ローラ停止手段１８を省いてもよいことはいうまでもない。
【００２１】
６０はケース本体１の後部に設けられる可逆性感熱紙の乾燥室であり、該乾燥室６０には送風ファン６１が設けられて温風または常温の送風が行われて洗浄と拭き取りが行われて排出されてくる可逆性感熱紙に残る水分を蒸発させるものである。なお、図面では上部にのみ送風ファン６１が設けられているが下部にも送風ファン６１を設けて可逆性感熱紙の表裏を同時に乾燥させるものとしてもよいことは勿論であり、この場合、乾燥室６０内に位置する排出トレイ４基部にはスリット等の透孔を形成して送風が可逆性感熱紙の裏面に吹き付けられるようにすることはいうまでもない。
【００２２】
また、シート送り込み手段１１である駆動ローラ対、洗浄ローラ対１２、１３の各ローラ同士は長期間洗浄を行わないとき図示しない隔離手段により隔離してローラの変形を防止するものとしている。隔離手段は歯車機構２１を組み込んだ下側のローラ群を洗浄液塗布機構３５とともに下降させて隔離するものとしているが、上側のローラ群を上昇させて隔離するものとしてもよいことは勿論である。このように隔離することによりローラの変形が防止され、ローラの変形による可逆性感熱紙の送り不良や洗浄不良を防止することができる。
【００２３】
このように構成されたものは、収納トレイ６に多数枚の可逆性感熱紙を表向きに収納させたうえ電源をオンとすれば、送出部２のトレイ揺動機構８は揺動運動を開始する。そして、可逆性感熱紙を収納した収納トレイ６の先方部がトレイ揺動機構８により上昇すると、収納トレイ６内にある最上面の可逆性感熱紙は回転している切出しローラ７に接触する。この接触により可逆性感熱紙の１枚目は切り出されて洗浄液付着手段３の洗浄ローラ機構１０に送り込まれることとなる。このときゲート５０により可逆性感熱紙が１枚だけ送り出されるように規制するとともに、ゲート５０に設けられた吸着手段５５により可逆性感熱紙に付着している金属紛類を吸着除去する。
【００２４】
洗浄ローラ機構１０内に送り込まれた可逆性感熱紙は押圧手段１６により圧接されている押圧ローラと受ローラとからなる上下の駆動ローラ対のシート送り込み手段１１によって、押圧手段１６により圧接されている押圧ローラと受ローラよりなる洗浄ローラ対１２、１３間に送り込まれることとなる。押圧手段１６により圧接される受ローラとしての従動側のローラ１２ａと駆動側のローラ１３ｂは洗浄液塗布機構３５の洗浄液塗布ローラ３７と当接されているので、従動側のローラ１２ａと駆動側のローラ１３ｂと圧接している駆動側のローラ１２ｂと従動側のローラ１３ａは洗浄と洗浄液の塗布処理が行われる。このように洗浄液が塗布されている洗浄ローラ対１２間に可逆性感熱紙が送り込まれると、ローラ停止手段１８としてのトルクリミッタはトルク変動を検知して下側に位置する従動側のローラ１２ａの回転を停止させる。このとき上側の駆動側のローラ１２ｂは回転を続けるので、可逆性感熱紙は搬送されて行き可逆性感熱紙の裏面は洗浄液が塗布された従動側のローラ１２ａにより拭き取り洗浄されることとなる。
【００２５】
このようにして裏面が洗浄された可逆性感熱紙は次に洗浄ローラ対１３に送り込まれることとなる。そして、洗浄液が塗布されている洗浄ローラ対１３間に可逆性感熱紙が送り込まれると、ローラ停止手段１８としてのトルクリミッタはトルク変動を検知して上側に位置する従動側のローラ１３ａの回転を停止させる。このとき下側の駆動側のローラ１３ｂは回転を続けるので、可逆性感熱紙は搬送されて行き可逆性感熱紙の表面は洗浄液が塗布された従動側のローラ１３ｂにより拭き取り洗浄されることとなる。可逆性感熱紙の表面の洗浄処理は次段の洗浄ローラ対１３によっても前記同様にして行われることとなる。
【００２６】
このようにして可逆性感熱紙の表裏の洗浄が完了すると、可逆性感熱紙は拭き取りローラ機構４０に送り込まれることとなる。拭き取りローラ機構４０に可逆性感熱紙が送り込まれると、ローラ停止手段１８としてのトルクリミッタはトルク変動を検知して上側に位置する従動ローラ４２の回転を停止させる。このとき下側の駆動ローラ４１は回転を続けるので、可逆性感熱紙は搬送されて行き可逆性感熱紙の表面に付着している洗浄液は拭い取られることとなる。可逆性感熱紙の表面の拭い取り処理は次段の従動ローラ４２と駆動ローラ４１によっても行われる。このようにして洗浄液を拭い取られた可逆性感熱紙は乾燥室６０に送り込まれ、乾燥室６０の送風ファン６１から吹出される温風または常温の送風により水分が蒸発させられ、乾燥した可逆性感熱紙は排出トレイ４に排出されることとなる。
【図面の簡単な説明】
【００２７】
【図１】本発明の好ましい実施の形態を示す断面図である。
【図２】同じく平面図である。
【図３】同じく洗浄ローラ機構を拡大して示す正面図である。
【図４】同じく歯車伝達機構を拡大して示す正面図である。
【符号の説明】
【００２８】
２  送出部
３  洗浄液付着手段
11  シート送り込み手段
12  洗浄ローラ対
12a 従動側のローラ
12b 駆動側のローラ
13  洗浄ローラ対
13a 従動側のローラ
13b 駆動側のローラ
18  ローラ停止手段
【図１】
0004731346.tif 000002
【図２】
0004731346.tif 000003
【図３】
0004731346.tif 000004
【図４】
0004731346.tif 000005